(57)【要約】【課題】  シンプルに構成されるとともに製造コストが低減されるコーン用防柵材保持具を提供することを目的とする。【解決手段】  コーン用防柵材保持具１は、円筒状に形成されている本体２から構成され、この本体２の外側部に、防柵材のビニールテープを保持する保持部６Ａ，６Ｂが互いが向かい合うよう形成されている。この構成により、シンプルに構成することができるとともに、コストを低減することができる。【選択図】        図１
2006144410.tif 000002
【特許請求の範囲】
【請求項１】
工場や工事現場等に設置される円錐形状の標識体に取り付けられ、所望の区域を形成する防柵材を保持するための標識体用防柵材保持具であって、
筒状に形成され、前記標識体の上部に挿入される本体から構成され、
前記本体の外側部に、鉛直姿勢の状態の前記防柵材を保持する少なくとも１つの保持部を備えていること
を特徴とする標識体用防柵材保持具。
【請求項２】
前記本体の下部に、周方向と直交する方向に複数の山と谷が交互に周方向に形成されている挿入部が形成されていること
を特徴とする請求項１に記載の標識体用防柵材保持具。
【請求項３】
前記保持部が、前記本体の外側部に互いが向かい合うように配置され、
前記本体の外側部の下方において前記両保持部の間に、前記標識体へ挿入するための複数の鉛直方向の切り込みが形成されていること
を特徴とする請求項１に記載の標識体用防柵材保持具。
【請求項４】
前記保持部は、鉛直方向に沿って矩形板状に形成され、前記鉛直方向と直交する方向の板厚を厚くしたこと
を特徴とする請求項１から３のいずれか１項に記載の標識体用防柵材保持具。
【発明の詳細な説明】
【技術分野】
【０００１】
本発明は、たとえば工場や工事現場等に設置される円錐形状の標識体に取り付けられ、所望の区域を形成する防柵材を保持するための標識体用防柵材保持具に関するものである。
【背景技術】
【０００２】
従来の標識体用防柵材保持具として、例えば特許文献１に開示されている防柵用テープ保持器がある。
例えば交通事故現場や路上作業場等に設置される複数のコーン（円錐形状の標識体の一例）の上部に設けられる防柵用テープ保持器は、伸縮方向が上下方向となるよう支柱の上部にかぶせて取り付けられ円錐形のコイルバネで形成されている取付けキャップと、伸縮方向が水平方向となるよう取付けキャップの上部に設けられているコイルバネから構成されており、支柱の各上部に取付けキャップをかぶせて取り付け、コイルバネを引伸ばすことにより生じる螺旋間のスペースに防柵材、たとえばビニールテープを挟み込むことにより、ビニールテープを摩擦保持させている。
【０００３】
この構成により、ビニールテープの脱着を容易に行うことができ、また現場での防柵の組み立ておよび解体作業が容易となる。
【特許文献１】実公昭４２−９７５４号公報
【発明の開示】
【発明が解決しようとする課題】
【０００４】
しかし、上記した従来の防柵用テープ保持器は、伸縮方向を上下方向とする円錐形のコイルバネの上部に、伸縮方向を水平方向とするコイルバネが設けられているため、構成が複雑となるとともに製造コストがかかるという問題がある。
【０００５】
そこで本発明は、シンプルに構成されるとともに製造コストが低減される標識体用防柵材保持具を提供することを目的としたものである。
【課題を解決するための手段】
【０００６】
前記した目的を達成するために、本発明の請求項１に記載の発明は、工場や工事現場等に設置される円錐形状の標識体に取り付けられ、所望の区域を形成する防柵材を保持するための標識体用防柵材保持具であって、筒状に形成され、前記標識体の上部に挿入される本体から構成され、前記本体の外側部に、鉛直姿勢の状態の前記防柵材を保持する少なくとも１つの保持部を備えていることを特徴としたものである。
【０００７】
上記構成によれば、標識体用防柵材保持具は保持部が筒状に形成されている本体の外側部に少なくとも１つ形成されるよう構成され、鉛直姿勢に保持された状態の防柵材を本体と保持部との間に挿入させ保持部により保持させる。
【０００８】
また、請求項２に記載の発明は、請求項１に記載の発明であって、前記本体の下部に、周方向と直交する方向に複数の山と谷が交互に周方向に形成されている挿入部が形成されていることを特徴としたものである。
【０００９】
上記構成によれば、標識体用防柵材保持具を標識体の上部に取り付ける際、挿入部は標識体の上部と当接して半径方向の外方へ開放されるため、標識体用防柵材保持具が標識体の上部より深い位置、すなわちより下方へ挿入される。
【００１０】
そして、請求項３に記載の発明は、請求項１に記載の発明であって、前記保持部が、前記本体の外側部に互いが向かい合うように配置され、前記本体の外側部の下方において前記両保持部の間に、前記標識体へ挿入するための複数の鉛直方向の切り込みが形成されていることを特徴としたものである。
【００１１】
上記構成によれば、標識体用防柵材保持具を標識体の上部に取り付ける際、切り込みが形成されている本体の下方部分は標識体の上部と当接して半径方向の外方へ開放されるため、標識体用防柵材保持具が標識体の上部より深い位置、すなわちより下方へ挿入される。
【００１２】
さらに、請求項４に記載の発明は、請求項１から３のいずれか１項に記載の発明であって、前記保持部は、鉛直方向に沿って矩形板状に形成され、前記鉛直方向と直交する方向の板厚を厚くしたことを特徴としたものである。
【００１３】
上記構成によれば、保持部が把持しやすくなるため、防柵材の脱着が容易に行われる。
【発明の効果】
【００１４】
本発明の標識体用防柵材保持具は、防柵材を保持する保持部を筒状に形成されている本体の外側部に少なくとも１つ形成するよう構成されているため、シンプルに構成することができるとともに、コストを低減することができる。
【発明を実施するための最良の形態】
【００１５】
以下に、本発明の実施の形態における標識体用防柵材保持具について、図面を参照しながら説明する。
本実施の形態は、工場や工事現場等に設置されるコーン（円錐形状の標識体の一例）に取り付けられ、所望の区域を形成する防柵材を保持するための標識体用防柵材保持具である。
【００１６】
図１に示すように、透明な樹脂により形成されているコーン用防柵材保持具（標識体用防柵材保持具の一例）１は、円筒状に形成されている本体２から構成され、本体２の上部に、内方に傾斜するよう上部傾斜部３が形成され、本体２の外側部に、上部傾斜部３から切り込み面４Ａ，４Ｂが互いに向かい合うよう鉛直方向に切り込むことにより切り込み部５Ａ，５Ｂが形成されている。そして切り込み部５Ａ，５Ｂを形成することにより、所望の区域を形成するためのビニールテープ（防柵材の一例）１１（後述する）を保持する保持部６Ａ，６Ｂが設けられている。なお、切り込み部５Ａ，５Ｂにおける鉛直方向の長さは、ビニールテープ１１の幅方向（短手方向）よりも長くなるよう形成されている。
【００１７】
また、本体２の上方には上部傾斜部３を介して上方開口部７が形成されており、本体２の下方には下方開口部８が形成されている。
このように、コーン用防柵材保持具１は、ビニールテープ１１を保持する保持部６Ａ，６Ｂが円筒状に形成されている本体２の外側部に互いが向かい合うよう構成されている。
【００１８】
以下に、上記した実施の形態における作用を、図に基づいて説明する。
図２に示すように、コーン用防柵材保持具１は、工事現場等に所定間隔おきに設置されているコーン（パイロンともいう）１２の上部に下方開口部８を介して挿入され取り付けられる。
【００１９】
そして、鉛直姿勢に保持した状態のビニールテープ１１を、いずれか一方の切り込み部５Ａ（５Ｂ）へ上方より挿入させ、保持部６Ａ（６Ｂ）にビニールテープ１１を保持させる。
【００２０】
これにより、立入禁止等の危険表示がなされているビニールテープ１１は、保持部６Ａ（６Ｂ）により鉛直姿勢の状態に保持される。
また、保持部６Ａを境として一方（左側）をビニールテープ１１Ａ、他方（右側）をビニールテープ１１Ｂとし、例えば保持部６Ａ（６Ｂ）により鉛直姿勢に保持されていたビニールテープ１１Ａが人や物などと接触して弛み、しわが入ったり垂下した場合、コーン用防柵材保持具１を周方向（半時計回り）Ｘに回転させることにより、ビニールテープ１１Ａがコーン用防柵材保持具１の回転方向へ引っ張られる。
【００２１】
これにより、しわが入ったり垂下したビニールテープ１１Ａが、鉛直姿勢の状態に修正される。
また、図３に示すように、ビニールテープ１１の端部を処理する場合、上述したようにビニールテープ１１を鉛直姿勢に保持した状態で一方の保持部６Ａに保持させた後、残りのビニールテープ１１を本体１の側面に沿って巻回し、ビニールテープ１１の端部を他方の保持部６Ｂに保持させる。
【００２２】
これにより、終端付近のビニールテープ１１は一方の保持部６Ａにより保持され、終端部分のビニールテープ１１は他方の保持部６Ｂにより保持される。
さらに、コーン用防柵材保持具１がコーン１２の上部に挿入されて取り付けられることにより、ビニールテープ１１はコーン１２の上部に位置することとなる。このため、ビニールテープ１１とコーン用防柵材保持具１の下方に取り付けられるコーンバー１３とを併用することが可能となる。
【００２３】
以上のように実施の形態によれば、コーン用防柵材保持具１は、筒状に形成され、外側部に保持部６Ａ（６Ｂ）が形成される本体２から構成されることから、シンプルな構成とすることができ、さらに樹脂で形成されることからコストを低減することができる。
【００２４】
また、実施の形態によれば、鉛直姿勢に保持した状態のビニールテープ１１をいずれか一方の切り込み部５Ａ（５Ｂ）へ上方より挿入させ、ビニールテープ１１を保持部６Ａ（６Ｂ）により保持させることにより、ビニールテープ１１を鉛直姿勢の状態で使用することができるため、ビニールテープ１１に記載されている立入禁止等の危険表示を常に周囲に示すことができる。
【００２５】
また、実施の形態によれば、保持部６Ａ（６Ｂ）により鉛直姿勢に保持されていたビニールテープ１１が人や物などと接触して弛み、しわが入ったり垂下した場合、コーン用防柵材保持具１を周方向に回転させ、ビニールテープ１１をコーン用防柵材保持具１の回転方向へ引っ張ることにより、しわが入ったり垂下したビニールテープ１１が鉛直姿勢の状態に修正されため、見た目が綺麗になり、ビニールテープ１１に記載されている立入禁止等の危険表示を周囲に示すことができる。これにより、例えば作業環境を特に重視するクリーンルーム内などの作業の安全性を向上させることができる。
【００２６】
また、実施の形態によれば、ビニールテープ１１の端部を処理する場合、ビニールテープ１１を鉛直姿勢に保持した状態で一方の保持部６Ａに保持させた後、残りのビニールテープ１１を本体１の側面に沿って巻回し、ビニールテープ１１の端部を他方の保持部６Ｂに保持させることにより、終端付近のビニールテープ１１は一方の保持部６Ａにより保持され、終端部分のビニールテープ１１は他方の保持部６Ｂにより保持されるため、例えばライン状に配置されている複数のコーン１２のうち端部に配置されているコーン１２でビニールテープ１１を確実に固定させることができる。
【００２７】
なお、実施の形態では、本体２の下部に何も形成されていなかったが、図４に示すように、本体２の下部に、周方向と直交する方向に複数の山と谷が交互に周方向に形成されているスカート形状の挿入部１４を形成してもよい。これにより、コーン用防柵材保持具１をコーン１２の上部に取り付ける際、挿入部１４はコーン１２の上部と当接して半径方向の外方へ開放されるため、コーン用防柵材保持具１をコーン１２の上部より深い位置、すなわちより下方へ挿入することができるため、コーン用防柵材保持具１をコーン１２から抜けにくくすることができる。
【００２８】
また、実施の形態では、本体２の外側部に特別な加工は施されていなかったが、図５に示すように、本体２の外側部の周方向における両保持部６Ａ，６Ｂの間に、上述ようなスカート形状の複数の山と谷が交互に形成されている挿入部１５を形成することにより、上記と同様の効果を奏し得ることができる。
【００２９】
また、実施の形態では、本体２の外側部を鉛直方向に切り込むことにより切り込み部５Ａ，５Ｂを形成し、この切り込み部５Ａ，５Ｂを形成することにより保持部６Ａ，６Ｂが形成されていたが、図６に示すように、本体２の外側部で互いが向かい合って配置され、鉛直方向に沿って矩形板状に形成され、鉛直方向と直交する方向の板厚が厚くされた保持部２１Ａ，２１Ｂを形成してもよい。これにより、保持部２１Ａ，２１Ｂが把持しやすくなるため、ビニールテープ１１の脱着を容易に行うことができる。また、本体２の外側部の下方において両保持部２１Ａ，２１Ｂの間に、コーン１２を挿入するための複数の鉛直方向の切り込み２２を形成することにより、コーン用防柵材保持具１をコーン１２の上部に取り付ける際、切り込み２２が形成されている本体２の下方部分はコーン１２の上部と当接して半径方向の外方へ開放されるため、コーン用防柵材保持具１がコーン１２の上部より深い位置、すなわちより下方へ挿入され、したがってコーン用防柵材保持具１をコーン１２から抜けにくくすることができる。
【００３０】
また、実施の形態では、防柵材としてビニールテープ１１を保持部６Ａ，６Ｂに保持させているが、これに限ることはなく、切り込み部５Ａ，５Ｂに挿入可能で、保持部６Ａ，６Ｂにより保持可能であるものであれば他の部材であってもよい。
【００３１】
また、実施の形態では、本体２が円筒状に形成されていたが、例えば角状の筒体であってもよい。
また、実施の形態では、保持部６Ａ，６Ｂ（２１Ａ，２１Ｂ）は本体２の外側部で互いが向かい合って配置されるよう形成されていたが、本体２の外側部に少なくとも１つ形成されていればよい。
【００３２】
また、実施の形態では、透明な樹脂により形成されたコーン用防柵材保持具１が使用されていたが、このコーン用防柵材保持具１に蛍光塗料などを塗布してもよい。これにより、周囲により注意を促すことができる。
【図面の簡単な説明】
【００３３】
【図１】本発明の実施の形態におけるコーン用防柵材保持具の斜視図である。
【図２】同コーンに取り付けられた際のコーン用防柵材保持具の斜視図である。
【図３】同コーンに取り付けられたコーン用防柵材保持具とコーンバーの斜視図である。
【図４】本発明の他の実施の形態におけるコーン用防柵材保持具の斜視図である。
【図５】本発明の他の実施の形態におけるコーン用防柵材保持具の斜視図である。
【図６】本発明の他の実施の形態におけるコーン用防柵材保持具の斜視図である。
【符号の説明】
【００３４】
１            コーン用防柵材保持具
２            本体
６Ａ，６Ｂ    保持部
１１          ビニールテープ（防柵材）
１２          コーン
１４          挿入部
２２          切り込み
【図１】
2006144410.tif 000003
【図２】
2006144410.tif 000004
【図３】
2006144410.tif 000005
【図４】
2006144410.tif 000006
【図５】
2006144410.tif 000007
【図６】
2006144410.tif 000008